(57)【特許請求の範囲】
【請求項１】
外殻と前記外殻の中に設けられた接続空間とを含み、前記接続空間の上壁の中には上下を連通する挿入穴が設けられ、ＵＳＢメモリのＵＳＢコネクタを前記挿入穴から前記接続空間に差し込み、前記外殻の上面には上方に開口する摺動空間が設けられ、前記摺動空間の中にはモータが固定的に設けられ、前記モータとコンピュータとは通信可能であり、前記モータの後側にはネジ山棒が伝動可能に設けられ、前記摺動空間の中には前記ネジ山棒とネジ山で連結されたネジ山スライダが二つ摺動可能に設けられ、前記ネジ山スライダの左側には二枚のロック板が固定的に設けられ、二枚のロック板はそれぞれ前記ＵＳＢメモリの前後側に位置し、前記ＵＳＢコネクタを前記挿入穴に差し込んだ後、前記ネジ山棒が回転して前後の前記ロック板に前記ＵＳＢメモリを挟むように近寄らせ、前記ＵＳＢメモリとコンピュータとの情報転送が完了したら、前記モータが作動して前記ロック板に前記ＵＳＢメモリを放すように離れさせ、
前記接続空間の中にはＵＳＢ接続口が回転可能且つ上下運動可能に設けられ、前記外殻の右面には固定ＵＳＢコネクタが固定的に設けられ、前記固定ＵＳＢコネクタは接続線によって前記ＵＳＢ接続口と接続され、前記固定ＵＳＢコネクタをコンピュータのＵＳＢ端子に差し込み、前記接続空間の左壁には電動レールが固定的に設けられ、前記電動レールの右側には電動推動棒が設けられ、前記電動推動棒の右側にある推動棒は右端に取付板が固定的に設けられ、前記取付板の右面には運動溝が二つ形成され、二つの前記運動溝の中にはいずれも連結棒が摺動可能に設けられ、二本の前記連結棒の右端にはそれぞれ定位板が固定的に設けられ、前記接続空間の中には前記定位板の下側に位置する二つの正逆回転スイッチが設けられ、前記運動溝の上壁には電磁石が固定的に設けられ、前記定位板を前記ＵＳＢコネクタに挿入し、一枚の前記定位板は前記ＵＳＢコネクタの中の回路板に押されて降下し、前記定位板が復位したら、降下する前記定位板は対応する前記正逆回転スイッチと当接し、前記ＵＳＢ接続口を正回転又は逆回転させることで、正しい向きにすることを特徴とする情報転送装置に対する抜き差し補助装置。
【請求項２】
前記接続空間の右壁の中には左方に開口する摺動案内溝が形成され、前記摺動案内溝の中には上下摺動可能な伝動棒が設けられ、前記伝動棒の左端には取付リングが固定的に設けられ、前記取付リングの内壁の中には位置制限溝が形成され、前記位置制限溝の中には位置制限スライダが摺動可能に設けられ、前記位置制限スライダの一端には取付盤が固定的に設けられ、前記取付盤の中には管路が固定的に設けられ、前記管路は前記取付盤を上下方向から貫通しており、前記ＵＳＢ接続口は前記管路の上端に固定的に設けられ、前記接続線は前記管路の中を通過することを特徴とする請求項１に記載の情報転送装置に対する抜き差し補助装置。
【請求項３】
前記接続空間の後壁には動力モータが固定的に設けられ、前記動力モータの前端には動力軸が伝動可能に連結され、前記動力軸には駆動歯車が固定的に設けられ、前記取付盤の下面には前記駆動歯車と噛み合った環状ラックが摺動可能に設けられ、前記環状ラックは前記取付盤に対して摩擦力があり、前記正逆回転スイッチと前記動力モータの制御回路とは通信可能であり、二つの前記正逆回転スイッチはそれぞれ前記動力モータの正回転と逆回転を制御することを特徴とする請求項２に記載の情報転送装置に対する抜き差し補助装置。
【請求項４】
前記接続空間の後壁には前記動力軸の下側に位置する歯車軸が回動可能に設けられ、前記歯車軸には旋転歯車が固定的に設けられ、前記動力軸には伝動歯車が固定的に設けられ、前記伝動歯車の下側には欠陥部があり、前記ＵＳＢ接続口が正しい向きに回転したら、前記伝動歯車は前記旋転歯車と噛み合い、前記接続空間の後壁には回転軸が回動可能に設けられ、前記回転軸と前記歯車軸とはプーリによって伝動可能に連結され、前記回転軸には回転盤が固定的に設けられ、前記回転盤の前面と前記伝動棒の下面とはヒンジ連結棒によって連結されていることを特徴とする請求項３に記載の情報転送装置に対する抜き差し補助装置。
【請求項５】
前記外殻の上面には指示灯が固定的に設けられ、前記指示灯は前記ＵＳＢメモリとコンピュータとが情報転送を行う時に、赤光を放ち、前記ＵＳＢメモリとコンピュータとが情報転送を行っていない時に、緑光を放つことを特徴とする請求項１に記載の情報転送装置に対する抜き差し補助装置。
【発明の詳細な説明】
【技術分野】
【０００１】
本願発明は情報転送装置分野を取り上げ、特に情報転送装置に対する抜き差し補助装置に関わる。
【背景技術】
【０００２】
科学技術の発展につれ、情報転送に対する需要が増えてきた。日常生活において、ＵＳＢメモリは利便性を有する外部記憶装置として、幅広く応用され、ＵＳＢメモリを通じて情報を素早く転送できる。ＵＳＢメモリの使用方式として、コンピュータなどのＵＳＢ端子にＵＳＢコネクタを差し込んで使用する。しかし、ＵＳＢコネクタには正面と反面があるため、ＵＳＢ端子に差し込む時に、いちいち確認しなければならなく、面倒の一面も見える。また、ＵＳＢメモリが情報を転送する時に、そのまま抜き出したら、ＵＳＢメモリにダメージを与えるため、安易に抜き出すことはできない。さらに、抜き出しの問題は、すべての利用者がしていったわけではなく、よって、本願発明を考案した。
【先行技術文献】
【特許文献】
【０００３】
【特許文献１】中国特許出願公開第１０３１１８３０４号明細書
【発明の概要】
【発明が解決しようとする課題】
【０００４】
情報転送装置に対する抜き差し補助装置を提供し、上記問題を解決することを目的とする。
【課題を解決するための手段】
【０００５】
本願発明は以下の技術的解決策で実現される。
【０００６】
本願に記載の情報転送装置に対する抜き差し補助装置は、外殻と前記外殻の中に設けられた接続空間とを含み、前記接続空間の上壁の中には上下を連通する挿入穴が設けられ、ＵＳＢメモリのＵＳＢコネクタを前記挿入穴から前記接続空間に差し込み、前記外殻の上面には上方に開口する摺動空間が設けられ、前記摺動空間の中にはモータが固定的に設けられ、前記モータとコンピュータとは通信可能であり、前記モータの後側にはネジ山棒が伝動可能に設けられ、前記摺動空間の中には前記ネジ山棒とネジ山で連結されたネジ山スライダが二つ摺動可能に設けられ、前記ネジ山スライダの左側には二枚のロック板が固定的に設けられ、二枚のロック板はそれぞれ前記ＵＳＢメモリの前後側に位置し、前記ＵＳＢコネクタを前記挿入穴に差し込んだ後、前記ネジ山棒が回転して前後の前記ロック板に前記ＵＳＢメモリを挟むように近寄らせ、前記ＵＳＢメモリとコンピュータとの情報転送が完了したら、前記モータが作動して前記ロック板に前記ＵＳＢメモリを放すように離れさせ、
前記接続空間の中にはＵＳＢ接続口が回転可能且つ上下運動可能に設けられ、前記外殻の右面には固定ＵＳＢコネクタが固定的に設けられ、前記固定ＵＳＢコネクタは接続線によって前記ＵＳＢ接続口と接続され、前記固定ＵＳＢコネクタをコンピュータのＵＳＢ端子に差し込み、前記接続空間の左壁には電動レールが固定的に設けられ、前記電動レールの右側には電動推動棒が設けられ、前記電動推動棒の右側にある推動棒は右端に取付板が固定的に設けられ、前記取付板の右面には運動溝が二つ形成され、二つの前記運動溝の中にはいずれも連結棒が摺動可能に設けられ、二本の前記連結棒の右端にはそれぞれ定位板が固定的に設けられ、前記接続空間の中には前記定位板の下側に位置する二つの正逆回転スイッチが設けられ、前記運動溝の上壁には電磁石が固定的に設けられ、前記定位板を前記ＵＳＢコネクタに挿入し、一枚の前記定位板は前記ＵＳＢコネクタの中の回路板に押されて降下し、前記定位板が復位したら、降下する前記定位板は対応する前記正逆回転スイッチと当接し、前記ＵＳＢ接続口を正回転又は逆回転させることで、正しい向きにする。
【０００７】
さらに、前記接続空間の右壁の中には左方に開口する摺動案内溝が形成され、前記摺動案内溝の中には上下摺動可能な伝動棒が設けられ、前記伝動棒の左端には取付リングが固定的に設けられ、前記取付リングの内壁の中には位置制限溝が形成され、前記位置制限溝の中には位置制限スライダが摺動可能に設けられ、前記位置制限スライダの一端には取付盤が固定的に設けられ、前記取付盤の中には管路が固定的に設けられ、前記管路は前記取付盤を上下方向から貫通しており、前記ＵＳＢ接続口は前記管路の上端に固定的に設けられ、前記接続線は前記管路の中を通過する。
【０００８】
さらに、前記接続空間の後壁には動力モータが固定的に設けられ、前記動力モータの前端には動力軸が伝動可能に連結され、前記動力軸には駆動歯車が固定的に設けられ、前記取付盤の下面には前記駆動歯車と噛み合った環状ラックが摺動可能に設けられ、前記環状ラックは前記取付盤に対して摩擦力があり、前記正逆回転スイッチと前記動力モータの制御回路とは通信可能であり、二つの前記正逆回転スイッチはそれぞれ前記動力モータの正回転と逆回転を制御する。
【０００９】
さらに、前記接続空間の後壁には前記動力軸の下側に位置する歯車軸が回動可能に設けられ、前記歯車軸には旋転歯車が固定的に設けられ、前記動力軸には伝動歯車が固定的に設けられ、前記伝動歯車の下側には欠陥部があり、前記ＵＳＢ接続口が正しい向きに回転したら、前記伝動歯車は前記旋転歯車と噛み合い、前記接続空間の後壁には回転軸が回動可能に設けられ、前記回転軸と前記歯車軸とはプーリによって伝動可能に連結され、前記回転軸には回転盤が固定的に設けられ、前記回転盤の前面と前記伝動棒の下面とはヒンジ連結棒によって連結されている。
【００１０】
さらに、前記外殻の上面には指示灯が固定的に設けられ、前記指示灯は前記ＵＳＢメモリとコンピュータとが情報転送を行う時に、赤光を放ち、前記ＵＳＢメモリとコンピュータとが情報転送を行っていない時に、緑光を放つ。
【発明の効果】
【００１１】
本願発明は以下のプラス効果を有する：本願発明におけるＵＳＢコネクタをコンピュータのＵＳＢ端子に取り付け、ＵＳＢメモリをコンピュータに接続する必要がある時に、ＵＳＢメモリを本願発明における指定位置に置き、そして本願発明は自動的にＵＳＢコネクタの正面と反面を認識してＵＳＢメモリをコンピュータに接続でき、即ち接続を便利にし、また、ＵＳＢメモリをコンピュータに接続した後に、本願発明はＵＳＢメモリをロックし、情報転送が完了ごにしか解錠できないため、情報転送時にＵＳＢメモリを抜き出すことによる損傷を避けられる。
【図面の簡単な説明】
【００１２】
下記に図１〜７を合わせて本発明について詳しく説明し、便利に説明するために、本願に記載の各方向を以下のように規定する：図１は本願発明の正面図であり、本願に記載の各方向は、図１における観察方向に基づくものである。
【００１３】
【図１】図１は本願発明の全体構成略図
【図２】図２は図１におけるＡ―Ａ部の構成略図
【図３】図３は図１におけるＢ―Ｂ部の構成略図
【図４】図４は図１におけるＣ―Ｃ部の構成略図
【図５】図５は図１におけるＤ―Ｄ部の構成略図
【図６】図６は図１におけるＥ部の構成略図
【図７】図７は図１における取付板の右面図
【発明を実施するための形態】
【００１４】
図１〜７を参照し、本願に記載の情報転送装置に対する抜き差し補助装置は、外殻１０と前記外殻１０の中に設けられた接続空間１１とを含み、前記接続空間１１の上壁の中には上下を連通する挿入穴４５が設けられ、ＵＳＢメモリ２９のＵＳＢコネクタ２０を前記挿入穴４５から前記接続空間１１に差し込み、前記外殻１０の上面には上方に開口する摺動空間３２が設けられ、前記摺動空間３２の中にはモータ３４が固定的に設けられ、前記モータ３４とコンピュータとは通信可能であり、前記モータ３４の後側にはネジ山棒３３が伝動可能に設けられ、前記摺動空間３２の中には前記ネジ山棒３３とネジ山で連結されたネジ山スライダ３１が二つ摺動可能に設けられ、前記ネジ山スライダ３１の左側には二枚のロック板３０が固定的に設けられ、二枚のロック板３０はそれぞれ前記ＵＳＢメモリ２９の前後側に位置し、前記ＵＳＢコネクタ２０を前記挿入穴４５に差し込んだ後、前記ネジ山棒３３が回転して前後の前記ロック板３０に前記ＵＳＢメモリ２９を挟むように近寄らせ、前記ＵＳＢメモリ２９とコンピュータとの情報転送が完了したら、前記モータ３４が作動して前記ロック板３０に前記ＵＳＢメモリ２９を放すように離れさせ、
前記接続空間１１の中にはＵＳＢ接続口１９が回転可能且つ上下運動可能に設けられ、前記外殻１０の右面には固定ＵＳＢコネクタ１２が固定的に設けられ、前記固定ＵＳＢコネクタ１２は接続線１７によって前記ＵＳＢ接続口１９と接続され、前記固定ＵＳＢコネクタ１２をコンピュータのＵＳＢ端子に差し込み、前記接続空間１１の左壁には電動レール２７が固定的に設けられ、前記電動レール２７の右側には電動推動棒２６が設けられ、前記電動推動棒２６の右側にある推動棒は右端に取付板２５が固定的に設けられ、前記取付板２５の右面には運動溝４４が二つ形成され、二つの前記運動溝４４の中にはいずれも連結棒２４が摺動可能に設けられ、二本の前記連結棒２４の右端にはそれぞれ定位板２１が固定的に設けられ、前記接続空間１１の中には前記定位板２１の下側に位置する二つの正逆回転スイッチ２３が設けられ、前記運動溝４４の上壁には電磁石４３が固定的に設けられ、前記定位板２１を前記ＵＳＢコネクタ２０に挿入し、一枚の前記定位板２１は前記ＵＳＢコネクタ２０の中の回路板に押されて降下し、前記定位板２１が復位したら、降下する前記定位板２１は対応する前記正逆回転スイッチ２３と当接し、前記ＵＳＢ接続口１９を正回転又は逆回転させることで、正しい向きにする。
【００１５】
好ましくは、前記接続空間１１の右壁の中には左方に開口する摺動案内溝５０が形成され、前記摺動案内溝５０の中には上下摺動可能な伝動棒５１が設けられ、前記伝動棒５１の左端には取付リング２２が固定的に設けられ、前記取付リング２２の内壁の中には位置制限溝１５が形成され、前記位置制限溝１５の中には位置制限スライダ３５が摺動可能に設けられ、前記位置制限スライダ３５の一端には取付盤１６が固定的に設けられ、前記取付盤１６の中には管路１８が固定的に設けられ、前記管路１８は前記取付盤１６を上下方向から貫通しており、前記ＵＳＢ接続口１９は前記管路１８の上端に固定的に設けられ、前記接続線１７は前記管路１８の中を通過する。
【００１６】
好ましくは、前記接続空間１１の後壁には動力モータ３７が固定的に設けられ、前記動力モータ３７の前端には動力軸３８が伝動可能に連結され、前記動力軸３８には駆動歯車４０が固定的に設けられ、前記取付盤１６の下面には前記駆動歯車４０と噛み合った環状ラック３６が摺動可能に設けられ、前記環状ラック３６は前記取付盤１６に対して摩擦力があり、前記正逆回転スイッチ２３と前記動力モータ３７の制御回路とは通信可能であり、二つの前記正逆回転スイッチ２３はそれぞれ前記動力モータ３７の正回転と逆回転を制御する。
【００１７】
好ましくは、前記接続空間１１の後壁には前記動力軸３８の下側に位置する歯車軸４６が回動可能に設けられ、前記歯車軸４６には旋転歯車４１が固定的に設けられ、前記動力軸３８には伝動歯車３９が固定的に設けられ、前記伝動歯車３９の下側には欠陥部があり、前記ＵＳＢ接続口１９が正しい向きに回転したら、前記伝動歯車３９は前記旋転歯車４１と噛み合い、前記接続空間１１の後壁には回転軸１３が回動可能に設けられ、前記回転軸１３と前記歯車軸４６とはプーリ４２によって伝動可能に連結され、前記回転軸１３には回転盤１４が固定的に設けられ、前記回転盤１４の前面と前記伝動棒５１の下面とはヒンジ連結棒５２によって連結されている。
【００１８】
好ましくは、前記外殻１０の上面には指示灯２８が固定的に設けられ、前記指示灯２８は前記ＵＳＢメモリ２９とコンピュータとが情報転送を行う時に、赤光を放ち、前記ＵＳＢメモリ２９とコンピュータとが情報転送を行っていない時に、緑光を放つ。
【００１９】
本願発明の作動手順は以下の通りである。  
【００２０】
本願発明を使用する前に、まず固定ＵＳＢコネクタ１２をコンピュータのＵＳＢ端子に差し込む。
【００２１】
１、ＵＳＢメモリ２９のＵＳＢコネクタ２０を挿入穴４５に差し込む。
【００２２】
２、モータ３４が作動してネジ山棒３３を回転させることで、前後のネジ山スライダ３１が互いに接近してロック板３０によってＵＳＢメモリ２９を挟む。
【００２３】
３、指示灯２８が赤光を放つ。
【００２４】
４、電動推動棒２６が作動して取付板２５に定位板２１を連動させ、定位板２１がＵＳＢコネクタ２０の下側に運動し、電動レール２７が作動して電動推動棒２６を上昇させることで、定位板２１をＵＳＢコネクタ２０の中に入らせ、一枚の定位板２１はＵＳＢコネクタ２０の中の回路板と当接したら降下する。
【００２５】
５、電動レール２７が作動して電動推動棒２６を降下させ、電動推動棒２６が作動して定位板２１を左方へ運動させ、低い位置にある定位板２１は正逆回転スイッチ２３と接触することで、動力モータ３７を起動して正回転又は逆回転させる。
【００２６】
６、動力モータ３７が作動して動力軸３８を介して駆動歯車４０を回転させ、駆動歯車４０は環状ラック３６を介して取付盤１６を回転させ、もしここでＵＳＢ接続口１９が正しい向きであれば、位置制限溝１５と位置制限スライダ３５との制限により、環状ラック３６は取付盤１６を回転させられない。
【００２７】
７、ＵＳＢ接続口１９が正しい向きに回転したら、伝動歯車３９は旋転歯車４１と噛み合い、歯車軸４６とプーリ４２とによって回転軸１３を回転させ、さらに回転盤１４とヒンジ連結棒５２とによって伝動棒５１は連動して上昇し、取付リング２２を上昇させ、そしてＵＳＢ接続口１９が上昇することで、ＵＳＢコネクタ２０をＵＳＢ接続口１９に差し込み、ここでＵＳＢメモリ２９がコンピュータと接続される。
【００２８】
８、情報転送を行う時に、指示灯２８は始終赤光を放ち、ロック板３０は始終ＵＳＢメモリ２９を挟む。
【００２９】
９、情報転送が終わったら、指示灯２８が緑光を放ち、モータ３４が作動してネジ山スライダ３１を離れさせることで、ロック板３０はＵＳＢメモリ２９を挟まなくなり、ここでＵＳＢメモリ２９を取り出せる。
【００３０】
以上の方式により、当該分野の従業員は作業状況に応じて様々な改変を加えることができる。
【要約】
【課題】本願は情報転送装置に対する抜き差し補助装置を開示した。
【解決手段】
本願に記載の情報転送装置に対する抜き差し補助装置は、外殻と前記外殻の中に設けられた接続空間とを含み、前記接続空間の上壁の中には上下を連通する挿入穴が設けられ、ＵＳＢメモリのＵＳＢコネクタを前記挿入穴から前記接続空間に差し込み、前記外殻の上面には上方に開口する摺動空間が設けられ、前記摺動空間の中にはモータが固定的に設けられ、前記モータとコンピュータとは通信可能であり、前記モータの後側にはネジ山棒が伝動可能に設けられ、前記摺動空間の中には前記ネジ山棒とネジ山で連結されたネジ山スライダが二つ摺動可能に設けられ、前記ネジ山スライダの左側には二枚のロック板が固定的に設けられている。
【選択図】図１【図１】
0006808144.tif 000002
【図２】
0006808144.tif 000003
【図３】
0006808144.tif 000004
【図４】
0006808144.tif 000005
【図５】
0006808144.tif 000006
【図６】
0006808144.tif 000007
【図７】
0006808144.tif 000008